(57)【要約】受信立ち上がり時間が短く、受信電力を抑えた無線送受信機及び無線送受信機の間欠送受信制御方法を提供する。  アドホック通信に用いられる無線送受信機であって、専用の起動待ち受け受信部１０を持ち、その専用起動待ち受け受信部１０は、キャリアを検出するだけの簡単なＳＡＷ発振器７によるＲＦ復調部６を持った無線送受信機を構成する。無線送受信機の起動方式は、プリアンブルの前に送出するＡＳＫ（またはＯＯＫ）変調による起動選択信号と、その起動選択信号を数ビットの間、間欠的に受信し、そのキャリアレベルの有無パターンにより起動選択を行うものである。この結果、受信立ち上がり時間が短くなり、受信電力を抑えることができる。【特許請求の範囲】
【請求項１】
無線送受信機において、
無線送受信機に設けられ、プリアンブル信号を他の無線送受信機へ送信する前に、他の無線送受信機の受信無線部が間欠受信動作から連続受信動作に切り替わるための起動選択信号をＡＳＫ変調若しくはＯＯＫ変調で送信する送信無線部と、
他の無線送受信機の送信無線部からの起動選択信号を受信する目的で所定のビット幅で間欠受信し、前記起動選択信号を受信すると前記無線送受信機の受信無線部が起動するための信号を発生する起動待ち受け受信部と、を有することにより受信待ち受け電力を抑圧することを特徴とする無線送受信機。
【請求項２】
上記起動待ち受け受信部に、上記起動待ち受け受信部が電源オンから所定のビット幅で受信完了する目的でＳＡＷ発振器を設け、該ＳＡＷ発振器で発生した信号を用いることにより上記受信無線部の受信時の立ち上がり時間を短縮することを特徴とする請求項１記載の無線送受信機。
【請求項３】
上記ＳＡＷ発振器に上記ＳＡＷ発振器の発振周波数を選択するための周波数選択部を設けたことを特徴とする請求項２記載の無線送受信機。
【請求項４】
上記送信無線部は、上記起動選択信号に受信側を指定するＩＤ信号を付与し、起動待ち受け受信部は、受信した上記起動選択信号中のＩＤ信号によって受信すべきか否かを判断し、受信すべきであると判断した場合にのみ、上記送信無線部および上記受信無線部への電源の供給を行う電源制御部と、を備えたことを特徴とする請求項１から３のいずれか記載の無線送受信機。
【請求項５】
上記ＩＤ信号はグループＩＤ信号および個別ＩＤ信号もしくはいずれか一方を含むことを特徴とする請求項４記載の無線送受信機。
【請求項６】
無線送信機において、無線送信機の送信無線部からプリアンブル信号を他の無線受信機へ送信する前に、他の無線受信機の受信無線部が間欠受信動作から連続受信動作に切り替わるための起動選択信号をＡＳＫ変調若しくはＯＯＫ変調で送信することを特徴とする無線送信機。
【請求項７】
上記送信無線部が上記起動選択信号に受信側装置を指定するＩＤ信号を付与することを特徴とする請求項６記載の無線送信機。
【請求項８】
無線受信機において、プリアンブル信号の前に送信されるＡＳＫ変調若しくはＯＯＫ変調を用いた起動選択信号を受信する目的で所定のビット幅で間欠受信し、前記起動選択信号を受信すると前記無線受信機の受信無線部が起動するための信号を発生する起動待ち受け受信部を有することにより受信待ち受け電力を抑圧することを特徴とする無線受信機。
【請求項９】
上記起動待ち受け受信部に、上記起動待ち受け受信部が電源オンから所定のビット幅で受信完了する目的でＳＡＷ発振器を設け、該ＳＡＷ発振器で発生した信号を用いることにより上記受信無線部の受信通信既の立ち上がり時間を短縮することを特徴とする請求項８記載の無線受信機。
【請求項１０】
上記ＳＡＷ発振器に上記ＳＡＷ発振器の発振周波数を選択するための周波数選択部を設けたことを特徴とする請求項９記載の無線受信機。
【請求項１１】
上記起動待ち受け受信部は、受信した上記起動選択信号中のＩＤ信号によって受信すべきか否かを判断し、受信すべきであると判断した場合にのみ、上記送信無線部および上記受信無線部への電源の供給を行う電源制御部と、を備えたことを特徴とする、請求項８から１０のいずれか記載の無線受信機。
【請求項１２】
上記ＩＤ信号はグループＩＤ信号および個別ＩＤ信号もしくはいずれか一方を含むことを特徴とする請求項１１記載の無線受信機。
【請求項１３】
無線送受信方法において、
無線送受信機の送信無線部からプリアンブル信号を他の無線送受信機へ送信する前に、他の無線送受信機の受信無線部が間欠受信動作から連続受信動作に切り替わるための起動選択信号を送信無線部はＡＳＫ変調若しくはＯＯＫ変調で送信し、
他の無線送受信機の送信無線部からの起動選択信号を受信する目的で所定のビット幅で間欠受信し、前記起動選択信号を受信すると前記無線送受信機の受信無線部が起動するための信号を起動待ち受け受信部から発生することにより受信待ち受け電力を抑圧することを特徴とする間欠送受信制御方法。
【請求項１４】
上記起動待ち受け受信部が電源オンから所定のビット幅で受信完了する目的で上記起動待ち受け受信部に設けられたＳＡＷ発振器から発生した信号を用いることにより上記受信無線部の受信時の立ち上がり時間を短縮することを特徴とする請求項１３記載の間欠送受信制御方法。
【請求項１５】
上記ＳＡＷ発振器に設けられた周波数選択部により上記ＳＡＷ発振器の発振周波数を選択することを特徴とする請求項１４記載の間欠送受信制御方法。
【請求項１６】
上記送信無線部は、上記起動選択信号に受信側を指定するＩＤ信号を付与し、上記起動待ち受け受信部は、受信した上記起動選択信号中のＩＤ信号によって受信すべきか否かを判断し、受信すべきであると判断した場合にのみ、電源制御部は、上記送信無線部および上記受信無線部への電源の供給を行う、ことを特徴とする請求項１３から１５のいずれか記載の間欠送受信制御方法。
【請求項１７】
上記ＩＤ信号はグループＩＤ信号および個別ＩＤ信号もしくはいずれか一方を含むことを特徴とする請求項１６記載の間欠送受信制御方法。
【請求項１８】
無線送信方法において、無線送信機の送信無線部からプリアンブル信号を他の無線受信機へ送信する前に、他の無線受信機の受信無線部が間欠受信動作から連続受信動作に切り替わるための起動選択信号をＡＳＫ変調若しくはＯＯＫ変調で送信することを特徴とする間欠送信制御方法。
【請求項１９】
上記送信無線部が上記起動選択信号に受信側装置を指定するＩＤ信号を付与することを特徴とする請求項１８記載の間欠送信制御方法。
【請求項２０】
無線受信方法において、起動待ち受け受信部を用いてプリアンブル信号の前に送信されるＡＳＫ変調若しくはＯＯＫ変調を用いた起動選択信号を受信する目的で所定のビット幅で間欠受信し、前記起動選択信号を受信すると前記無線受信機の受信無線部が起動するための信号を発生することにより受信待ち受け電力を抑圧することを特徴とする間欠受信制御方法。
【請求項２１】
上記起動待ち受け受信部が電源オンから所定のビット幅で受信完了する目的で上記起動待ち受け受信部に設けられたＳＡＷ発振器で発生した信号を用いることにより上記受信無線部の受信通信既の立ち上がり時間を短縮することを特徴とする請求項２０記載の間欠受信制御方法。
【請求項２２】
上記ＳＡＷ発振器に設けられた周波数選択部により上記ＳＡＷ発振器の発振周波数を選択することを特徴とする請求項２１記載の間欠受信制御方法。
【請求項２３】
上記起動待ち受け受信部は、受信した上記起動選択信号中のＩＤ信号によって受信すべきか否かを判断し、受信すべきであると判断した場合にのみ、電源制御部は、上記送信無線部および上記受信無線部への電源の供給を行うことを特徴とする、請求項２０から２２のいずれか記載の間欠受信制御方法。
【請求項２４】
上記ＩＤ信号はグループＩＤ信号および個別ＩＤ信号もしくはいずれか一方を含むことを特徴とする請求項２０記載の間欠受信制御方法。
【発明の詳細な説明】
【技術分野】
【０００１】  本発明は、無線送受信機及び無線送受信機の間欠送受信制御方法に関するものである。
【背景技術】
【０００２】  バッテリー式の無線センサモジュールなど、アドホック通信を用いてデータ収集（温度、湿度、加速度、ＣＯ２濃度等の環境データや河川の氾濫等の画像データ、位置情報データ等のあらゆるセンシングデータの収集）を行う場合、待機電力をできるだけ削減して平均消費電力を下げ、バッテリーの持続時間を長くする必要がある。【０００３】  他の送信機からの信号の中からプリアンブルを検出する従来の間欠送受信制御方式は、受信時の待機電力を低下させる方法としてよく用いられている。【０００４】  図１７は、従来の間欠送受信制御方法を適用した無線送受信機のブロック図である。図１８（ａ）は図１７に示した無線送受信機の送信時の信号のタイミングを示す図であり、図１８（ｂ）は図１７に示した無線送受信機の受信時の信号のタイミングを示す図である。図１８（ａ）、（ｂ）において横軸は時間を示し、縦軸は信号レベルを示す。【０００５】  図１７に示す従来の間欠受信制御方法を適用した無線送受信機は、アンテナ１と、送受信切替スイッチ２と、送信無線部３と、受信無線部４と、発振回路５と、キャリア検出部８と、間欠制御部１１とで構成されている。【０００６】  図１７に示す送受信無線部の発振回路には水晶振動子を用いているため、電源をオンしてから水晶振動子の発振が安定するまで時間がかかっていた（図１８（ａ）、（ｂ）参照）。このため、間欠受信時間幅を短くすることができなく、無駄な受信電力を消費していた。【０００７】  また、従来の無線送受信機では間欠プリアンブル検出のＩＤをキャリアセンスしてから受信モードに移るため、不要信号で反応し、ＩＤ判定を頻繁に行うため平均消費電力が増加してしまうことが多かった。【０００８】  ここで、「不要信号」について説明する。【０００９】  図１８（ａ）、（ｂ）で送信側からプリアンブル＋データの信号が送出されている。一般に、プリアンブル信号の中にＩＤデータが埋め込まれているため、自局へ送られた送信なのか、他局へ送られた送信なのかは、このＩＤを受信して初めて受信側が判断する。このため、他局へ送信している信号でも受信側はこのプリアンブルを頻繁に見る（検出する）ことになり、この他局へ送られた信号を「不要信号」と表現している。【００１０】  さらに、従来の無線送受信機ではプリアンブルＩＤ検出のためには、図１８（ｂ）に示した１／Ｎ間欠（Ｔ０間隔受信において、Ｔ０／Ｎ時間）受信の場合、たとえばＩＤを８ビットとするとプリアンブルを８＊Ｎビット以上長く送信しなくては、受信側はＩＤを判別することができなかった。【００１１】  この理由について図１９（ａ）〜（ｄ）を参照して説明する。【００１２】  図１９（ａ）、（ｂ）は図１７に示した無線送受信機においてＩＤ＝３ビットとし、Ｎ＝４とした場合のプリアンブルを示し、図８（ｃ）、（ｄ）は同条件における受信パルスを示す。図１９（ａ）〜（ｄ）において、横軸は時間を示し、縦軸は論理レベルを示す。【００１３】  間欠受信パルスは、１２ビットの周期で３ビット幅（Ｎ＝４）で発生する。この間欠受信パルスは図１９（ｃ）、（ｄ）のように、図１９（ａ）のプリアンブルに対しどこで立ち上がるかが不明である。このような間欠受信パルスでプリアンブルの１、２、３というＩＤを受信する場合、プリアンブルが図１９（ｂ）の３ビット幅であると、図１９（ｄ）プリアンブルのＩＤを判別することは不可能である。このため、ＩＤを判別するには、少なくともプリアンブルは図１９（ａ）のように３＊４＝１２ビット幅以上でないと図８（ｃ）または図１９（ｄ）のパルスで判別することはできないのである。【００１４】  このように、従来の無線送受信機は、プリアンブルのＩＤを検出して初めて自局を起動すべきことを検出するため、他局への起動が頻繁にあると無駄な消費電力を消費してしまい、平均消費電力が増加してしまうという問題があった。【００１５】  そこで、回路的に主電源の低消費化を目的とする無線送受信装置が提案された。これは目的とする送信信号の前に特定のビットパターンを形成して送信する送信装置と、常時電源の間欠供給を行う電源制御部とビットパターンの到来により間欠電源供給を継続電源供給に切り替え指令を出す信号処理部とを有する装置である（例えば、特許文献１参照）。【００１６】  また、メータの無線検針を行うシステムにおいて、応答性が速くかつ確実に起動信号のパターン認識をすることができる通信方式が提案されている。これは無線親機と、メータに接続される複数の無線子機とで構成されるシステムにおいて、無線親機から送信する起動信号は、システム固有の同期信号と同期信号に続く自己識別番号との繰り返しにより構成され、無線子機は起動信号のうち少なくとも一つから同期信号と自己識別信号とを検出して自システム内の有意通信であることを認識することにより、無線回線を確立するものである（例えば、特許文献２参照）。
【特許文献１】特開昭６１−３３０２７号公報
【特許文献２】特開２００１−１６０９９０号公報
【発明の開示】
【発明が解決しようとする課題】
【００１７】  しかしながら、上述した従来技術でも受信立ち上がりに時間がかかり、受信電力を無駄に消費してしまうという問題があった。【００１８】  そこで、本発明の目的は、受信立ち上がり時間が短く、受信電力を抑えた無線送受信機及び無線送受信機の間欠送受信制御方法を提供することにある。
【課題を解決するための手段】
【００１９】  前記課題を解決するために請求項１に係る発明は、無線送受信機において、無線送受信機に設けられ、プリアンブル信号を他の無線送受信機へ送信する前に、他の無線送受信機の受信無線部が間欠受信動作から連続受信動作に切り替わるための起動選択信号をＡＳＫ変調若しくはＯＯＫ変調で送信する送信無線部と、他の無線送受信機の送信無線部からの起動選択信号を受信する目的で所定のビット幅で間欠受信し、前記起動選択信号を受信すると前記無線送受信機の受信無線部が起動するための信号を発生する起動待ち受け受信部と、を有することにより受信待ち受け電力を抑圧することを特徴とする。【００２０】  請求項２に係る発明は、請求項１記載の発明において、上記起動待ち受け受信部に、上記起動待ち受け受信部が電源オンから所定のビット幅で受信完了する目的でＳＡＷ発振器を設け、該ＳＡＷ発振器で発生した信号を用いることにより上記受信無線部の受信時の立ち上がり時間を短縮することを特徴とする。【００２１】  請求項３に係る発明は、請求項２記載の発明において、上記ＳＡＷ発振器に上記ＳＡＷ発振器の発振周波数を選択するための周波数選択部を設けたことを特徴とする。【００２２】  請求項４に係る発明は、請求項１から３のいずれか記載の発明において、上記送信無線部は、上記起動選択信号に受信側を指定するＩＤ信号を付与し、起動待ち受け受信部は、受信した上記起動選択信号中のＩＤ信号によって受信すべきか否かを判断し、受信すべきであると判断した場合にのみ、上記送信無線部および上記受信無線部への電源の供給を行う電源制御部と、を備えたことを特徴とする。【００２３】  請求項５に係る発明は、請求項４記載の発明において、上記ＩＤ信号はグループＩＤ信号および個別ＩＤ信号もしくはいずれか一方を含むことを特徴とする。【００２４】  請求項６に係る発明は、無線送信機において、無線送信機の送信無線部からプリアンブル信号を他の無線受信機へ送信する前に、他の無線受信機の受信無線部が間欠受信動作から連続受信動作に切り替わるための起動選択信号をＡＳＫ変調若しくはＯＯＫ変調で送信することを特徴とする。【００２５】  請求項７に係る発明は、請求項６記載の発明において、上記送信無線部が上記起動選択信号に受信側装置を指定するＩＤ信号を付与することを特徴とする。【００２６】  請求項８に係る発明は、無線受信機において、プリアンブル信号の前に送信されるＡＳＫ変調若しくはＯＯＫ変調を用いた起動選択信号を受信する目的で所定のビット幅で間欠受信し、前記起動選択信号を受信すると前記無線受信機の受信無線部が起動するための信号を発生する起動待ち受け受信部を有することにより受信待ち受け電力を抑圧することを特徴とする。【００２７】  請求項９に係る発明は、請求項８記載の発明において、上記起動待ち受け受信部に、上記起動待ち受け受信部が電源オンから所定のビット幅で受信完了する目的でＳＡＷ発振器を設け、該ＳＡＷ発振器で発生した信号を用いることにより上記受信無線部の受信通信既の立ち上がり時間を短縮することを特徴とする。【００２８】  請求項１０に係る発明は、請求項９記載の発明において、上記ＳＡＷ発振器に上記ＳＡＷ発振器の発振周波数を選択するた���の周波数選択部を設けたことを特徴とする。【００２９】  請求項１１に係る発明は、請求項８から１０のいずれか記載の発明において、上記起動待ち受け受信部は、受信した上記起動選択信号中のＩＤ信号によって受信すべきか否かを判断し、受信すべきであると判断した場合にのみ、上記送信無線部および上記受信無線部への電源の供給を行う電源制御部と、を備えたことを特徴とする。【００３０】  請求項１２に係る発明は、請求項１１記載の発明において、上記ＩＤ信号はグループＩＤ信号および個別ＩＤ信号もしくはいずれか一方を含むことを特徴とする。【００３１】  請求項１３に係る発明は、無線送受信方法において、無線送受信機の送信無線部からプリアンブル信号を他の無線送受信機へ送信する前に、他の無線送受信機の受信無線部が間欠受信動作から連続受信動作に切り替わるための起動選択信号を送信無線部はＡＳＫ変調若しくはＯＯＫ変調で送信し、他の無線送受信機の送信無線部からの起動選択信号を受信する目的で所定のビット幅で間欠受信し、前記起動選択信号を受信すると前記無線送受信機の受信無線部が起動するための信号を起動待ち受け受信部から発生することにより受信待ち受け電力を抑圧することを特徴とする。【００３２】  請求項１４に係る発明は、請求項１３記載の発明において、上記起動待ち受け受信部が電源オンから所定のビット幅で受信完了する目的で上記起動待ち受け受信部に設けられたＳＡＷ発振器から発生した信号を用いることにより上記受信無線部の受信時の立ち上がり時間を短縮することを特徴とする。【００３３】  請求項１５に係る発明は、請求項１４記載の発明において、上記ＳＡＷ発振器に設けられた周波数選択部により上記ＳＡＷ発振器の発振周波数を選択することを特徴とする。【００３４】  請求項１６に係る発明は、請求項１３から１５のいずれか記載の発明において、上記送信無線部は、上記起動選択信号に受信側を指定するＩＤ信号を付与し、上記起動待ち受け受信部は、受信した上記起動選択信号中のＩＤ信号によって受信すべきか否かを判断し、受信すべきであると判断した場合にのみ、電源制御部は、上記送信無線部および上記受信無線部への電源の供給を行う、ことを特徴とする。【００３５】  請求項１７に係る発明は、請求項１６記載の発明において、上記ＩＤ信号はグループＩＤ信号および個別ＩＤ信号もしくはいずれか一方を含むことを特徴とする。【００３６】  請求項１８に係る発明は、無線送信方法において、無線送信機の送信無線部からプリアンブル信号を他の無線受信機へ送信する前に、他の無線受信機の受信無線部が間欠受信動作から連続受信動作に切り替わるための起動選択信号をＡＳＫ変調若しくはＯＯＫ変調で送信することを特徴とする。【００３７】  請求項１９に係る発明は、請求項１８記載の発明において、上記送信無線部が上記起動選択信号に受信側装置を指定するＩＤ信号を付与することを特徴とする。【００３８】  請求項２０に係る発明は、無線受信方法において、起動待ち受け受信部を用いてプリアンブル信号の前に送信されるＡＳＫ変調若しくはＯＯＫ変調を用いた起動選択信号を受信する目的で所定のビット幅で間欠受信し、前記起動選択信号を受信すると前記無線受信機の受信無線��が起動するための信号を発生することにより受信待ち受け電力を抑圧することを特徴とする。【００３９】  請求項２１に係る発明は、請求項２０記載の発明において、上記起動待ち受け受信部が電源オンから所定のビット幅で受信完了する目的で上記起動待ち受け受信部に設けられたＳＡＷ発振器で発生した信号を用いることにより上記受信無線部の受信通信既の立ち上がり時間を短縮することを特徴とする。【００４０】  請求項２２に係る発明は、請求項２１記載の発明において、上記ＳＡＷ発振器に設けられた周波数選択部により上記ＳＡＷ発振器の発振周波数を選択することを特徴とする。【００４１】  請求項２３に係る発明は、請求項２０から２２のいずれか記載の発明において、上記起動待ち受け受信部は、受信した上記起動選択信号中のＩＤ信号によって受信すべきか否かを判断し、受信すべきであると判断した場合にのみ、電源制御部は、上記送信無線部および上記受信無線部への電源の供給を行うことを特徴とする。【００４２】  請求項２４に係る発明は、請求項２０記載の発明において、上記ＩＤ信号はグループＩＤ信号および個別ＩＤ信号もしくはいずれか一方を含むことを特徴とする。
＜作用＞
アドホック通信に用いられる無線送受信機であって、専用の起動待ち受け受信部を持ち、その専用起動待ち受け受信部は、キャリアを検出するだけの簡単なＳＡＷ発振器による復調部を持った無線送受信機を構成する。無線送受信機の起動方式は、プリアンブルの前に送出するＡＳＫ（またはＯＯＫ）変調による起動選択信号と、その起動選択信号を数ビットの間、間欠的に受信し、そのキャリアレベルの有無パターンにより起動選択を行うものである。この結果、受信立ち上がり時間が短くなり、受信電力を抑えることができる。【００４３】  また、ＩＤパターン認識部でＩＤを認識するまでは送信部及び受信部への電源の供給を行わないことにより受信待ち電力を低下させることができる。
【発明の効果】
【００４４】  本無線送受信機による間欠送受信制御方法を用いた場合、ＳＡＷ発振器を用いた専用の起動待ち受け受信部を持っているため、受信立ち上がりが早く、数ミリ秒以下で受信可能となり、無駄な受信電力を消費しないと言う効果がある。また、起動選択信号を受信するための最低限の回路（起動待ち受け受信部、パターン比較部及び間欠制御部）しか作動しておらず、自局の起動選択信号を判別して初めて、受信無線部をオンさせるため、不要信号受信による電力消費がきわめて少ないと言う効果がある。さらに、プリアンブル受信においては最初のビットから受信可能なため、プリアンブルの送信時間を最小にし、送信電力を削減できると言う効果がある。またさらに、本無線送受信機による間欠送受信制御方法を用いた場合、ＩＤパターン認識部でＩＤを認識するまでは送信部及び受信部への電源の供給を行わないことにより受信待ち電力を低下させることができる。
【発明を実施するための最良の形態】
【００４５】  図１は、本発明の無線送受信機の間欠送受信制御方法を適用した無線送受信機の一実施の形態を示すブロック図である。【００４６】  本無線送受信機は、主にアンテナ１と、送受信切り替えスイッチ２と、送信無線部３と、受信無線部４と、発振回路５とを有する無線送受信機であって、受信無線部４とは別に、ＲＦ復調部６、ＳＡＷ発振器７、及びキャリア検出部８からなる起動待ち受け受信部１０と、キャリアの有無を検出するパターン比較部９と、各送信無線部３、受信無線部４、発振回路５、及び起動待ち受け受信部１０の間欠動作を制御する間欠制御部１１とで構成される。本無線送受信機で取り扱われる電波の周波数はＳＡＷ発信器７で発生できる全周波数帯を含む。【００４７】  アンテナ１は、ホイップアンテナ、ダイポールアンテナ等の無指向性アンテナであっても八木アンテナ、ループアンテナ等の指向性アンテナであってもよい。【００４８】  送受信切り替えスイッチ２は、アンテナ１を送信時には送信無線部３に接続し、受信時には受信無線部４及びＲＦ復調部６に接続するためのスイッチであり、例えば図示しないアナログスイッチが用いられる。【００４９】  送信無線部３は、送信データが送受信切り替えスイッチ２を介してアンテナ１に給電する機能と、無線送受信機の送信無線部３からプリアンブル信号を他の無線送受信機（図示せず）へ送信する前に、他の無線送受信機の受信無線部が間欠受信動作から連続受信動作に切り替わるための起動選択信号をＡＳＫ変調（若しくはＯＯＫ変調）で一定の間隔で送信する機能とを有する。【００５０】  受信無線部４は、アンテナ１に発生した電波を受信し、その電波から受信データを抽出する機能を有する。【００５１】  発振回路５は、受信無線部４及び送信無線部３で必要な周波数の正弦波信号を発生する機能を有する。【００５２】  ＲＦ復調部６は、アンテナ１に発生した電波から必要な周波数の高周波信号（ＲＦ信号）を復調する機能を有する。【００５３】  ＳＡＷ発振器７は、弾性表面波（ＳＡＷ）素子を用いた発振器であり、１０ＭＨｚから数ＧＨｚの周波数帯にわたって発振する機能を有する。
キャリア検出部８は、ＲＦ復調部６の出力信号からキャリアを検出する機能を有する。【００５４】  パターン比較部９は、キャリア検出部８の出力信号のパターン（Ｈ「１論理レベル」とＬ「０論理レベル」との組み合わせパターン）と予め決められたパターンとを比較する機能を有する。パターン比較部９は、例えば、入力「０１０１０００１」の８ビット信号と、比較パターン「０１０１０００１」の８ビット信号とを比較し、このように両者が一致すれば、一致信号を出力するようになっている。パターン比較部９は、例えばエクスクルーシブオアゲート（Ｅｘ−ＯＲ）とレジスタとメモリとで構成される。【００５５】  ここで、図２を参照してパターン比較部９により３ビットの“１０１”パターンと予め記憶したデータとを比較する場合について詳述する。
図２は図１に示した無線送受信機に用いられるパターン比較部の一例を示すブロック図である。【００５６】  パターン比較部は、三つのＥｘ−ＯＲ１、Ｅｘ−ＯＲ２、Ｅｘ−ＯＲ３と、各Ｅｘ−ＯＲ１〜Ｅｘ−ＯＲ３の一方（図では上側）の入力に出力端が接続された三つのレジスタＲｅ１〜Ｒｅ３と、各Ｅｘ−ＯＲ１〜ＥｘＯＲ３の他方（この場合下側）の入力に出端が接続された三つのメモリＭｅ１〜Ｍｅ３とで構成されている。【００５７】  メモリＭｅ１には“１”が記憶され、メモリＭｅ２には“０”が記憶され、メモリＭｅ３には“１”が記憶されている。レジスタＲｅ１、Ｒｅ２、Ｒｅ３は、キャリア信号を検出する周期でデータを順次転送する（レジスタＲｅ１からレジスタＲｅ２、レジスタＲｅ２からレジスタＲｅ３、レジスタＲｅ３から次段）。メモリＭｅ１〜Ｍｅ３にはＲＯＭやＲＡＭ等、一定のレベル出力が出るメモリであれば限定されない。比較パターンは予めメモリＭｅ１〜Ｍｅ３に書き込んでおくものとする。【００５８】  このような構成において、
（１）キャリアに“１”を検出した場合
レジスタＲｅ１のデータは“１”となり、レジスタＲｅ２〜Ｒｅ３のデータは“Ｘ”すなわち、不定である。従ってＥｘ−ＯＲ１の出力は“１”となり、Ｅｘ−ＯＲ２、Ｅｘ−ＯＲ３の出力は共に“Ｘ”となる。この結果、Ｅｘ−ＯＲ１はレジスタＲｅ１の出力とメモリＭｅ１の出力とを比較し、両者が一致すれば“１”、不一致ならば“０”を出力する。以下他のＥｘ−ＯＲ２、３も同様である。【００５９】（２）（１）の後でキャリアに“０”を検出した場合
レジスタＲｅ１のデータは“０”となり、レジスタＲｅ２のデータは“１”となり、レジスタＲｅ３のデータは“Ｘ”となる。この結果、Ｅｘ−ＯＲ１の出力は“０”、Ｅｘ−ＯＲ２の出力は“１”となり、Ｅｘ−ＯＲ３の出力は“Ｘ”となる。【００６０】（３）（２）の後でキャリアに“１”を検出した場合
レジスタＲｅ１のデータは“１”となり、レジスタＲｅ２のデータは“０”となり、レジスタＲｅ３のデータは“１”となる。この結果、Ｅｘ−ＯＲ１の出力は“１”となり、Ｅｘ−ＯＲ２の出力は“０”となり、Ｅｘ−ＯＲ３の出力は“１”となるので、Ｅｘ−ＯＲ１〜Ｅｘ−ＯＲ３の出力の全てが“１”（例えば、全ての出力のアンドをとる）となれば、メモリＲｅ１〜Ｒｅ３の内容とレジスタＲｅ１〜Ｒｅ３の内容とが一致したということが分かる。【００６１】  ＲＦ復調部６、ＳＡＷ発振器７及びキャリア検出部８で起動待ち受け受信部１０が構成されている。
起動待ち受け受信部１０は、他の無線送受信機の送信無線部からの起動選択信号を受信する目的で所定のビット幅（数ビット）で間欠受信し、起動選択信号を受信すると無線送受信機の受信無線部４を起動する機能を有する。【００６２】  間欠制御部１１は、送信無線部３の動作と、受信無線部４の動作と、起動待ち受け受信部１０の動作とを制御する機能を有する。すなわち、間欠制御部１１は、無線送受信機の送信無線部３からプリアンブル信号を他の無線送受信機へ送信する前に、他の無線送受信機の受信無線部が間欠受信動作から連続受信動作に切り替わるための起動選択信号をＡＳＫ変調若しくはＯＯＫ変調で一定間隔で送信させ、起動待ち受け受信部１０が他の無線送受信機の送信無線部からの起動選択信号を受信すると無線送受信機の受信無線部４を起動させるように制御する。間欠制御部１１には、例えばマイクロプロセッサが用いられる。
＜本発明の実施の形態の動作の説明＞
図３は、図１に示した無線送受信機を用いて図１に示した無線送受信機と同様の構成を有する別の無線送受信機を起動する場合の、送信動作を示すフローチャートである。【００６３】  図１に示した無線送受信機により別の無線送受信機の起動を行う場合、まず、起動周波数におけるキャリアを見て（キャリアを受信したか否かを判定して：ステップＰ１）、別の無線送受信機が使用されていれば（キャリアを受信していれば：ステップＰ１／Ｙ）一定時間（Ｔ）待機した後（ステップＰ２）、ステップＰ１に戻って再度キャリアを検出する。【００６４】  別の無線送受信機が使用されていなければ（別の無線送受信機からのキャリアを受信していなければ：ステップＰ１／Ｎ）、図１に示した無線送受信機の送信無線部３からＡＳＫ（Ａｍｐｌｉｔｕｄｅ  Ｓｈｉｆｔ  Ｋｅｙｉｎｇ）変調または、ＯＯＫ（Ｏｎ  Ｏｆｆ  Ｋｅｙｉｎｇ）変調により、Ｌビットの起動選択信号を送信（ステップＰ３）し、その後プリアンブル及び通信用のデータを送信（ステップＰ４）する。【００６５】  ここで、ＯＯＫ変調は、ＡＳＫ変調の一種であり、データが“１”のときに１００％の論理レベルとなり、データが“０”のときに０％（無送信）の論理レベルとなるようになっている。すなわち、無線送受信機の送信無線部は、データが０％の論理レベルの時はオフとなる。【００６６】  ステップＰ３、Ｐ４におけるタイムチャートを示したのが、図４（ａ）である。図４（ｂ）は受信時のタイムチャートである。図４（ａ）、（ｂ）において、Ｌビットの起動選択信号は、Ｌ＝３（“１”、“０”、“１”）の場合を示し、１ビットの送信幅は、Ｔ時間である。【００６７】  起動される側の無線送受信機（別の無線送受信機）の受信待ち受けフローを示したのが、図４である。【００６８】  受信待ち受け状態において、別の無線送受信機の受信無線部４はオフ（ステップＰ５）になっている。【００６９】  別の無線送受信機の起動待ち受け受信部（図１の起動待ち受け受信部１０に相当）は、キャリアを受信したか否かを判定し（ステップＰ６）、キャリアを受信した場合には（ステップＰ６／Ｙ）、“１”をパターン比較部（図１のパターン比較部９に相当）に書き込み、一定時間（Ｔ）待機した後で起動待ち受け受信部（図１の起動待ち受け受信部１０に相当）をオフにする（ステップＰ９）。【００７０】  別の無線送受信機の起動待ち受け受信部がキャリアを受信していない場合には（ステップＰ６／Ｎ）、別の無線送受信機の間欠制御部は、“０”をパターン比較部（図１のパターン比較部９に相当）に書き込み（ステップＰ８）、一定時間（Ｔ）待機した後で起動待ち受け受信部（図１の起動待ち受け受信部１０に相当）をオフの状態にする（ステップＰ９）。【００７１】  次に別の無線送受信機は、キャリアを一定時間間隔（Ｔ）でＴ／Ｎ時間受信し、キャリアの有無を“１”、“０”の情報としてパターン比較部（図１のパターン比較部９に相当）に書き込む（ステップＰ７、Ｐ８、Ｐ９、Ｐ１０、Ｐ１１）。【００７２】  次に別の無線送受信機は、パターン比較部（図１のパターン比較部９に相当）にＬビットのパターンを書き込んだ段階でＩ（整数）がＬ（起動パターン＝起動選択信号のビット数）に等し��か否かを判定（ステップＰ１０）し、パターン比較部に書き込んだＬビットのパターンと起動パターンとが一致するか否かを判定する（ステップＰ１２）。【００７３】  Ｉ＝Ｌであって（ステップＰ１０／Ｙ）、パターン比較部に書き込んだＬビットのパターンが起動パターンと一致した場合（ステップＰ１２／Ｙ）、間欠制御部（図１の間欠制御部１１に相当）は受信無線部（図１の受信無線部４に相当）をオンし（ステップＰ１３）、プリアンブル受信（ステップＰ１４）を行い、データ受信（ステップＰ１５）を行って受信が完了する。【００７４】  ステップＰ１０でＩ＝Ｌではない場合（ステップＰ１０／Ｎ）、起動待ち受け受信部をオンにすると共にＩにＩ＋１を代入し（ステップＰ１１）、ステップＰ６に戻る。【００７５】  ステップＰ１２でパターン比較部に書き込んだＬビットのパターンが起動パターンと一致しなかった場合（ステップＰ１２／Ｎ）、ステップＰ５に戻る。【００７６】  図５（ｂ）に示した受信時のタイムチャートは、この起動選択信号Ｌ＝３（“１”、“０”、“１”）の場合の間欠受信動作時のタイムチャートである。
このように、本無線送受信機においては、プリアンブルの前に送出するＡＳＫ（またはＯＯＫ）変調による起動選択信号と、その起動選択信号を数ビットの間、間欠的に受信し、そのキャリアレベルの有無パターンにより起動選択を行うことにより、受信立ち上がり時間が短くなり、受信電力を抑えることができる。
＜本発明の他の実施の形態＞
図６は、本発明の他の実施の形態を示すブロック図であり、複数の起動チャネルを持った無線送受信機を示している。【００７７】  図６に示した無線送受信機と図１に示した無線送受信機との相違点は、周波数選択部を起動待ち受け受信部に設けた点と、間欠制御部の代わりに間欠、周波数制御部を用いた点と、発振回路の代わりにＶＣＸＯを用いた点とが挙げられる。【００７８】  図６に示した無線送受信機は、主にアンテナ１２と、送受信切替スイッチ１６と、送信無線部１４と、受信無線部１３と、電圧可変発振回路（ＶＣＸＯ）１５とを有する無線送受信機であって、受信無線部１３とは別に、ＲＦ復調部１９、ＳＡＷ発振器１８、ＳＡＷ発振器１８の周波数選択を行う周波数選択部１７及びキャリア検出部２０からなる起動待ち受け受信部２１と、キャリアの有無を比較するパターン比較部２２と、送信無線部１４、受信無線部１３と、ＶＣＸＯ１５と、起動待ち受け受信部２１の間欠動作及び周波数選択を制御する間欠、周波数制御部２３とで構成される。
ＶＣＸＯ１５は、例えばＰＬＬと可変容量ダイオードとを用いて発振周波数を変化できるようにしたものである。【００７９】  間欠、周波数制御部２３は、受信無線部１３の動作と、送信無線部１４の動作と、起動待ち受け受信部２１の動作とを制御する機能を有し、前述の間欠制御部１１（図１参照）とほぼ同様の機能を有する。【００８０】  この起動待ち受け受信部２１は、ＳＡＷ発振器の特徴（ＳＡＷは、水晶発振とＬＣ発振との中間の特性を有し、電圧制御により一つのＳＡＷデバイスで複数チャネルの周波数の信号を直接発振させることができる）を生かし、１つのＳＡＷ発振器で複数ＣＨ（チャネル）の受信を可能にしている。【００８１】  図７〜図９は、図６に示した無線送受信機における起動送受信時のフローとタイムチャートを示した図である。【００８２】  図６に示した無線送受信機の起動を行う場合、まず、使いたい複数チャネル（ＪＣＨ「Ｊチャネル」）の起動周波数におけるキャリアを見て（キャリアを受信したか否かを判定し：ステップＰ１６）、Ｊチャネルのキャリアを受信したと判定した場合（ステップＰ１６／Ｙ）、ＪがＫ（チャネル数）に等しいか否かを判定すると共にＪにＪ＋１を代入する（ステップＰ１７）。【００８３】  間欠、周波数制御部２３は、ＪがＫに等しいと判定した場合（ステップＰ１７／Ｙ）、すなわちＪチャネルキャリアが使用されていると判定されば一定時間（Ｔ）待機した後Ｊから１を差し引いて（ステップＰ１８）、ステップＰ１６に戻って再度キャリアを検出する。
ＪがＫに等しくない場合（ステップＰ１７／Ｎ）、ステップＰ１６に戻る。【００８４】  間欠、周波数制御部２３によりステップＰ１６、１７でＪチャネルのキャリアが使用されていないと判定されば、送信無線部１４からＡＳＫ（またはＯＯＫ）変調により、Ｌビットの起動選択信号を送信し（ステップＰ１９）、その後プリアンブル及び通信用のデータを送信して終了する（ステップＰ２０）。【００８５】  図６に示した無線送受信機により起動される側の別の無線送受信機（図６に示した無線送受信機と同様の構成の図示しない無線送受信機）の受信待ち受けフローを図８に示す。【００８６】  図示しない別の無線送受信機は、起動待ち受け受信部（図６の起動待ち受け受信部２１に相当）がオンであって受信無線部がオフの受信待ち受け状態において、Ｊから１を差し引くと共にＩから１を差し引く（ステップＰ２１：Ｉは整数）。【００８７】  起動待ち受け受信部（図６に示した起動待ち受け受信部２１に相当）は、Ｊチャネルのキャリアを受信したか否かを判定し（ステップＰ２２）、Ｊチャネルのキャリアを受信した場合（ステップＰ２２／Ｙ）、“１”をパターン比較部のＪ−１番目に書き込み（ステップＰ２３）、ＪがＫに等しいか否かを判定すると共にＪにＪ＋１を代入する（ステップＰ２５）。【００８８】  間欠、周波数制御部２３は、起動待ち受け受信部（図６に示した起動待ち受け受信部２１に相当）がＪチャネルのキャリアを受信していない場合、“０”をパターン比較部（図６のパターン比較部２２に相当）のＪ−１番目に書き込み（ステップＰ２４）、ステップＰ２５で判定する。
ＪがＫに等しくないと判定された場合（ステップＰ／Ｎ）、ステップＰ２２に戻る。【００８９】  無線送受信機は、一定時間（Ｔ）待機した後、起動待ち受け受信部はオフになり（ステップＰ２６）、ＩがＬに等しいか否かを判定する（ステップＰ２７：Ｌは起動パターン＝起動選択信号のビット数である）。【００９０】  間欠、周波数制御部２３は、ＩがＬに等しい場合（ステップＰ２７／Ｙ）、起動パターンがＩと一致したか否かを判定する（ステップＰ２８）。
ＩがＬに等しくないと判定された場合（ステップＰ２７／Ｎ）、ステップＰ２２に戻る。【００９１】  すなわち、起動待ち受け受信部（図６に示した起動待ち受け受信部２１に相当）は各チャネルのキャリアを一定時間間隔（Ｔ）でＴ／Ｎ時間スキャンしながら受信し、キャリアの有無を“１”、“０”の情報としてパターン比較部（図６に示したパターン比較部２２に相当）に書き込む（ステップＰ２２〜Ｐ２９）。【００９２】  パターン比較部にＬビットのパターンを書き込んだ段階で（ステップＰ２９）、その書き込んだパターンが起動パターン（起動選択信号）と一致した場合（ステップＰ２８）、間欠、周波数制御部（図６に示した間欠、周波数制御部２３に相当）は起動パターンが一致したチャネルの周波数を選択し（ステップＰ３０）、受信無線部（図６に示した受信無線部１３に相当）をオンし（ステップＰ３１）、プリアンブル受信（ステップＰ３２）、データ受信（ステップＰ３３）を行って受信が完了する。【００９３】  図９（ａ）〜（ｄ）は、図６に示した無線送受信機における起動選択信号Ｌ＝３（“１”、“０”、“１”）、送信チャネル２（２ＣＨ）の場合の間欠送受信動作時のタイムチャートである。【００９４】  図９（ａ）は２チャネル送信時のタイムチャートを示し、図９（ｂ）は１チャネル受信時のタイムチャートを示し、図９（ｃ）は２チャネル受信時のタイムチャートを示し、図９（ｄ）は３チャネル受信時のタイムチャートを示す。図９（ａ）〜（ｄ）において横軸は時間を示し、縦軸は論理レベルを示している。【００９５】  図６に示した無線送受信機においても図１に示した無線送受信機と同様に、受信立ち上がり時間が短くなり、受信電力を抑えることができる。【００９６】  ところで、無線センサモジュールなど、アドホック通信を用いてデータ収集を行う場合、システム全体として待機電力をなるべく削減して平均消費電力を下げ、バッテリーの保ち時間を長くする必要がある。
前述した間欠送受信方式は、１つの無線送受信機としての電力は下がるが、システム全体として見ると、他局への起動が頻繁にある場合には、ＩＤを認識するために消費電力の大きなＣＰＵまで起動させてしまうため、電力を無駄に消費してしまい、システムの平均消費電力が増加することがあった。【００９７】  そこで、本発明者らは、通常の通信の前に間欠受信用信号を送信し、その間欠受信用信号を受信する専用の受信部を持つ無線送受信機システムにおいて、間欠受信用信号として起動信号以外にＩＤ信号（グループＩＤ及び個別ＩＤ信号もしくはいずれか一方）を持たせ、このＩＤを間欠受信時に認識することによりシステム全体としての受信待ち電力を下げることを見出した。【００９８】  ここで、ＡＳＫ変調とは、ベースバンドデータに比例してキャリア（搬送波）の振幅を変化させるものである。ＡＳＫ変調はノイズや干渉に弱いので、遠距離のデータ伝送にはあまり使用されないが、構成が簡単で小型化が容易でコストが低いので、微弱無線局（特定小電力無線局）等の近距離通信で使用される。データが「１」のときも「０」のときも発振回路は停止しないので、ＯＯＫ変調とは区別される。【００９９】  また、ＯＯＫ変調は、ＡＳＫ変調と同様に一定周波数、一定振幅の連続したキャリアをオンオフさせるが、オフのときは発振回路が完全に停止する点でＡＳＫ変調と異なる。このため、低消費電力のモジュールが実現できる。なお、モールス信号はＯＯＫ変調に含まれる。【０１００】  （他の実施の形態）
図１０に、本発明の間欠送受信制御方法を適用した無線送受信機の他の実施の形態のブロック図を示す。
アンテナ１０１と、送受信切替ＳＷ１０２と、送信無線部１０３と、受信無線部１０４と、ＣＰＵ１０５とを有する無線送受信機において、受信無線部１０４とは別に、間欠受信無線部１０６と、パターン認識部１０７と、このパターン認識部１０７からの信号を元にして受信無線部１０４と送信無線部１０３とＣＰＵ１０５の電源とを制御する電源制御部１０８とを有し、パターン認識部１０７は、起動パターン認識部１０９とＩＤパターン認識部１１０とで構成される。【０１０１】  （実施の形態の動作の説明）
図１１は、図１０に示したブロック図と同様の構成を有する二つの無線送受信機で通信を行う場合の、送受信パターンである。
図１０において、送信する側の無線送受信機は、送信無線部１０３から図１１に示すような送信パターンを送るようになっている。
図１１において、先頭は起動パターン２１１とＩＤパターン２１２とからなる間欠受信用パターンである。起動パターン２１１及びＩＤパターン２１２には、間欠受信回路を簡素化し、低消費電力化するため、ＡＳＫ（Ａｍｐｌｉｔｕｄｅ  Ｓｈｉｆｔ  Ｋｅｙｉｎｇ）または、ＯＯＫ（Ｏｎ−Ｏｆｆ  Ｋｅｙｉｎｇ）などの無線変調パターンが用いられる。【０１０２】  送信する側の無線送受信機から起動パターン２１１とＩＤパターン２１２とからなる間欠受信用パターン２１５を送信した後、プリアンブル２１３のパターンとデータ２１４とからなる通常パターン２１６が送信される。
受信する側の無線送受信機においては、受信無線部１０４、送信無線部１０３及びＣＰＵ１０５の電源はＯＦＦとなっており、間欠受信無線部１０６とパターン認識部１０７と電源制御部１０８とは、図１１に示した起動パターン２１１が送信する側の無線送受信機から来るまで間欠的に起きている。【０１０３】  前述したように、間欠受信用パターン（起動パターン２１１とＩＤパターン２１２）は、ＡＳＫまたはＯＯＫの変調方式を用いているため、これを受信する間欠受信無線部１０６は、回路が簡素化できるため低電力化されており、たとえば受信無線部１０４がＦＳＫ（Ｆｒｅｑｕｅｎｃｙ  Ｓｈｉｆｔ  Ｋｅｙｉｎｇ）変調方式などを用いていれば、間欠動作しなくても、
“間欠受信無線部６の消費電力＜受信無線部４の消費電力”
となっている（間欠動作した場合には「＜」は「＜＜」となる。）。【０１０４】  ここで、間欠受信無線部１０６の回路を簡素化できる点について述べる。
この簡素化とはいわゆるＦＭといわれる周波数偏移変調（ＦＳＫ）や、位相偏移変調（ＰＳＫ）と比較して簡素化できることできることを意味する。例えば「０１」のデータを送る場合、ＡＳＫ変調やＯＯＫ変調では、単に信号の強度を検出するだけで、「０１」のデータを受信することができるが、ＦＳＫ変調やＰＳＫ変調では、周波数の変動や位相の変動を検出するため、バンドパスフィルタ（メカニックフィルタやセラミックフィルタもしくはクリスタルフィルタ）等の部品が必要となり複雑になるためである。【０１０５】  このため、ＡＳＫ変調の回路規模はＦＳＫ変調の回路規模より小さくできるので、消費電力を削減することができ、
（ＡＳＫ変調時の消費電力＝間欠受信無線部６の消費電力）＜（ＦＳＫ変調時の消費電力＝受信無線部４の消費電力）
となる。【０１０６】  間欠受信無線部１０６は、起動パターン２１１を受信するとそのパターンを起動パターン認識部１０７へ送る。起動パターン認識部１０７は、同期の取れていない起動パターンが入ってくるため、調歩同期を取りながら起動パターンを認識し、それが自局の起動パターンであれば、間欠受信無線部１０６からの次のパターンデータであるＩＤパターン２１２をＩＤパターン認識部１１０へ送る。ＩＤパターン認識部１１０は、そのＩＤを、調歩同期を取りながら認識し、その認識信号を電源制御部１０８へ送る。電源制御部１０８は、その認識信号に応じて受信無線部１０４、送信無線部１０３、及びＣＰＵ１０５の電源をＯＮにする。【０１０７】  起動パターン認識部１０７及び電源制御部１０８は、間欠受信用パターンのパルス幅を通常パターンのパルス幅より長く設定しておけば、ＣＰＵ５の消費電力に比較し、十分低電力で動作する。【０１０８】  （効果の説明）
図１２、１３に示すような従来の無線送受信機における間欠受信制御方法では、図１４に示すように、起動パターン１７３からなる間欠受信用パターン１７２の後に続く通常パターン１７１の中に、プリアンブル１７４とデータ１７６とに挟まれた形でＩＤパターン１７５があるため、後述する受信無線部１０４とＣＰＵ１０５とを動作させなければＩＤパターンを認識できない。このため、たとえば図１５に示すノードＡが、ノードＢだけを起動させたい場合、従来方式では、ノードＣ〜ノードＥも同時に起動し、通常パターン中のＩＤパターンをＣＰＵが認識するまで全てのノードが起きており、その間無駄に電力を消費している。【０１０９】  これに対し、本実施の形態では、低消費電力な間欠受信無線部１０６とパターン認識部１０７と電源制御部１０８とが、間欠受信用パターンのＩＤパターンを認識するため、ノードＢ以外の受信無線部１０４とＣＰＵ１０５とは起動する事がなく、システム全体としての低消費電力化が図れると言う効果がある。
なお、図１２、１３は従来の無線送受信機における間欠受信制御方法を適用した無線送受信機のブロック図であり、図１４は従来の無線送受信機における間欠受信制御方法を適用した送受信パターンである。図１５はノードＡがノードＢを起動させる場合の説明図である。【０１１０】  図１２に示す無線送受信機は、アンテナ１０１、送受信切り替えスイッチ１０２、送信無線部１０３、受信無線部１０４及び間欠受信無線部１０６を備えている。通常、送受信切り替えスイッチ１０２はアンテナ１０１を間欠受信無線部１０６に接続されており、無線送受信機は、間欠的に受信して起動パターン認識部１０９で起動パターンの有無を認識する。起動パターン認識部１０９が起動パターンの存在を認識すると、ＣＰＵ１０５は電源制御部１０８を作動させて受信無線部１０４を起動させ、受信無線部１０４から受信データがＣＰＵ１０５に送られる。送信時にはＣＰＵ１０５はアンテナ１０１と送受信切り替えスイッチ１０２とが接続されるように送受信切り替えスイッチを切り替えると共に、ＣＰＵ１０５から送信データが送信無線部１０３に送られるようになっている。【０１１１】  図１３に示す無線送受信機は、アンテナ１０１、送受信切り替えスイッチ１０２、送信無線部１０３、受信無線部１０４、ＣＰＵ１０５及び間欠制御部１０６で構成されている。間欠制御部１０６により送受信切り替えが制御され、間欠制御部１０６により間欠的に作動する受信無線部１０４から受信データがＣＰＵ１０５に送られ、ＣＰＵ１０５から送信無線部１０３に間欠的に送信データが送られるようになっている。【０１１２】  ここで、図１６は本発明の無線送受信機における間欠受信制御方法を適用した送受信パターンである。
図１６に示した起動パターン１９１とＩＤパターン１９２とで構成される間欠受信用パターン１９５のうちのＩＤパターン１９２をグループＩＤパターン１９７と個別ＩＤパターン１９８とに分けて制御すれば、図１５に示したグループ１のノードＢとノードＣとだけ起こして、ノードＡからノードＢとノードＣとに同時にデータを送る事も可能となり、ノードＡは同じデータを２回送る（ノードＡからノードＢにデータを送った後（１回目）、ノードＡからノードＣに同じデータを送る（２回目））必要がない。このため、システム全体として、よりきめの細かな電力制御が可能となると言う効果がある。なお、間欠受信用パターン１９５に続く通常パターン１９６はプリアンブル１９３とデータ１９４とで構成されている。
【図面の簡単な説明】
【０１１３】
【図１】本発明の無線送受信機の間欠送受信制御方法を適用した無線送受信機の一実施の形態を示すブロック図である。
【図２】図１に示した無線送受信機に用いられるパターン比較部の一例を示すブロック図である。
【図３】図１に示した無線送受信機を用いて図１に示した無線送受信機と同様の構成を有する別の無線送受信機を起動する場合の、送信動作を示すフローチャートである。
【図４】起動される側の無線送受信機（別の無線送受信機）の受信待ち受けフローである。
【図５】（ａ）は図３に示したフローチャートのステップＰ３、Ｐ４におけるタイムチャートを示す図であり、（ｂ）は受信時のタイムチャートである。
【図６】本発明の他の実施の形態を示すブロック図である。
【図７】図６に示した無線送受信機における起動送受信時のフローとタイムチャートを示した図である。
【図８】図６に示した無線送受信機における起動送受信時のフローとタイムチャートを示した図である。
【図９】図６に示した無線送受信機における起動送受信時のフローとタイムチャートを示した図である。
【図１０】本発明の間欠送受信制御方法を適用した無線送受信機の他の実施の形態のブロック図である。
【図１１】図１０に示したブロック図と同様の構成を有する二つの無線送受信機で通信を行う場合の、送受信パターンである。
【図１２】従来の無線送受信機における間欠受信制御方法を適用した無線送受信機のブロック図である。
【図１３】従来の無線送受信機における間欠受信制御方法を適用した無線送受信機のブロック図である。
【図１４】従来の無線送受信機における間欠受信制御方法を適用した送受信パターンである。
【図１５】ノードＡがノードＢを起動させる場合の説明図である。
【図１６】本発明の無線送受信機における間欠受信制御方法を適用した送受信パターンである。
【図１７】従来の間欠送受信制御方法を適用した無線送受信機のブロック図である。
【図１８】（ａ）は図１７に示した無線送受信機の送信時の信号のタイミングを示す図であり、（ｂ）は図１７に示した無線送受信機の受信時の信号のタイミングを示す図である。
【図１９】（ａ）、（ｂ）は図１７に示した無線送受信機においてＩＤ＝３ビットとし、Ｎ＝４とした場合のプリアンブルを示し、（ｃ）、（ｄ）は同条件における受信パルスを示す。
【符号の説明】
【０１１４】  １、１０１  アンテナ
２、１０２  送受信切り替えスイッチ
３、１０３  送信無線部
４、１０４  受信無線部
５  発振回路
６  ＲＦ復調部
７  ＳＡＷ発振器
８  キャリア検出部
９  パターン比較部
１０  起動待ち受け受信部
１１  間欠制御部
１０５  ＣＰＵ
１０６  間欠受信無線部
１０７  パターン認識部
１０８  電源制御部
１０９  起動パターン認識部
１１０  ＩＤパターン認識部
【図１】
2005013637.tif 000002
【図２】
2005013637.tif 000003
【図３】
2005013637.tif 000004
【図４】
2005013637.tif 000005
【図５】
2005013637.tif 000006
【図６】
2005013637.tif 000007
【図７】
2005013637.tif 000008
【図８】
2005013637.tif 000009
【図９】
2005013637.tif 000010
【図１０】
2005013637.tif 000011
【図１１】
2005013637.tif 000012
【図１２】
2005013637.tif 000013
【図１３】
2005013637.tif 000014
【図１４】
2005013637.tif 000015
【図１５】
2005013637.tif 000016
【図１６】
2005013637.tif 000017
【図１７】
2005013637.tif 000018
【図１８】
2005013637.tif 000019
【図１９】
2005013637.tif 000020
【国際調査報告】
2005013637.tif 000021
2005013637.tif 000022